(57)【要約】      （修正有）【課題】密閉式洗浄水タンク内への吸気を行うことができ、且つ蒸気が密閉式洗浄水タンクからケーシング内部に流出してケーシング内部で結露されることを防ぐことができ、結露した水によりケーシング内部に収納された局部洗浄装置がショートする故障を防ぐことができるトイレ装置を提供する。【解決手段】トイレ装置１は、便器本体２と、便器本体２の後方上面に設けられるプレートと、プレートの上面に設けられた局部洗浄装置と、プレートの上面に設けられた密閉式洗浄水タンク２４と、局部洗浄装置及び密閉式洗浄水タンク２４を内部に収納するケーシング２６と、ケーシング２６内部の空気を密閉式洗浄水タンク２４内に吸気できる吸気管２８と、を備え、吸気管２８は、密閉式洗浄水タンク２４内に接続される接続部と、接続部から下方に延びる下降管２８ｂと、下降管２８ｂの下端が開口される開口部２８ｃと、を備える。【選択図】図２
2015068054.tif 000002
【特許請求の範囲】
【請求項１】
洗浄水によって洗浄し、汚物を排出するトイレ装置であって、
汚物を受けるボウル部を有する便器本体と、
上記便器本体の後方上面に設けられるプレートと、
上記プレートの上面に設けられ、洗浄水を噴出するノズル部を作動させる局部洗浄装置と、
上記プレートの上面に設けられ、上記ボウル部へ供給する水を貯水し、且つ貯水した水の蒸気が外部に流出することを防ぐように密閉されている密閉式洗浄水タンクと、
上記プレート上に設けられ、その内部に上記局部洗浄装置及び上記密閉式洗浄水タンクを収納するケーシングと、
上記ケーシング内に設けられ、このケーシングの内部の空気を上記密閉式洗浄水タンク内に吸気可能な吸気管と、を有し、
上記吸気管は、上記密閉式洗浄水タンク内のオーバーフロー水位より上方に接続される接続部と、上記接続部から下方に延びる下降管部と、上記ケーシングの内部の上記プレートの上方において、上記下降管部の下端が開口する開口部と、を備えていることを特徴とするトイレ装置。
【請求項２】
上記プレートは、水滴を上記プレートの上面から上記ボウル部へ排水する排水口部と、上記プレートの上面に形成され、上記吸気管の上記開口部の下方の領域から上記排水口部まで延び、上記吸気管から滴下された水滴を上記排水口部に導くように形成されている排水経路と、を備えている請求項１記載のトイレ装置。
【請求項３】
上記プレートの上記排水経路は、上記吸気管の上記開口部の下方の領域から上記排水口部に下り傾斜している請求項２記載のトイレ装置。
【請求項４】
上記吸気管の最小開口断面積は、上記密閉式洗浄水タンクの底面に形成された排水口の開口断面積の１／２０より大きく且つ１／１０より小さい範囲内で形成されている請求項１乃至３の何れか１項に記載のトイレ装置。
【請求項５】
上記接続部は、その上端が、上記密閉式洗浄水タンクの上面より下方に接続される請求項１乃至４の何れか１項に記載のトイレ装置。
【請求項６】
上記吸気管は、金属で形成されている請求項１乃至５の何れか１項に記載のトイレ装置。
【請求項７】
上記吸気管の下降管部は、その内部にジグザグ状に蛇行する流路が形成されている請求項１乃至６の何れか１項に記載のトイレ装置。
【請求項８】
上記吸気管の接続部は、横方向に延びる横管路を形成し、この横管路の底面は上記密閉式洗浄水タンクへ向かって下り傾斜している請求項１乃至７の何れか１項に記載のトイレ装置。
【発明の詳細な説明】
【技術分野】
【０００１】
本発明は、トイレ装置に係り、特に、洗浄水によって洗浄し、汚物を排出するトイレ装置に関する。
【背景技術】
【０００２】
従来から、人体の局部を洗浄する浄水を噴出するノズル部を有する局部洗浄装置と、便器洗浄用タンクとが、同じケーシング内に収納されたトイレ装置が知られている。このようなトイレ装置においては、便器洗浄用タンクに貯水された水が蒸発してケーシング内で結露することで、局部洗浄装置がその結露した水によりショートする危険性があるため、便器洗浄用タンクは、密閉式のタンク構造に形成されている。
このように便器洗浄用タンクに密閉式のタンク構造を採用する場合、密閉式の便器洗浄用タンク内の水を便器に排水するとき、十分な量の空気を密閉式の便器洗浄用タンク内に吸気できないと、密閉式の便器洗浄用タンク内から排水される洗浄水の量が不十分となり、便器の洗浄不良が生じる可能性があるため、その排水される水と同じ体積の空気を密閉式の便器洗浄用タンク内に吸気する必要がある。
したがって、従来のトイレ装置では、ケーシングの上部側面に吸気開口部を設け、その吸気開口部とほぼ同様の位置に密閉式の便器洗浄用タンク吸気開口部を設け、これらを吸気管で密閉して接続することにより、ケーシングの外部から便器洗浄用タンク内に吸気を行っていた。
また、特許文献１に記載されているように、便器洗浄用タンクの上部に通気穴を設け、この通気穴を開閉する可動弁が通気穴を開放することにより、便器洗浄用タンクの外部から便器洗浄用タンク内に吸気を行うものも知られている。
【先行技術文献】
【特許文献】
【０００３】
【特許文献１】特開２０１１−２０２４１３号明細書
【発明の概要】
【発明が解決しようとする課題】
【０００４】
しかしながら、従来のトイレ装置では、便器洗浄用タンクに貯水された水が蒸発する場合、吸気管内で蒸気が結露した水がケーシングの上部側面に形成された開口部から流出してしまうという問題があり、さらに、意匠性の観点からもケーシングの上部側面に形成された開口部を無くすことが望まれていた。
仮に、従来のトイレ装置において、ケーシングの上部側面に形成された開口部を無くし、密閉式の便器洗浄用タンク吸気開口部をケーシング内にて開放した状態とすると、同じケーシング内に局部洗浄装置と、便器洗浄用タンクとが収納されていることから、密閉式の便器洗浄用タンク内の蒸気が便器洗浄用タンク外へ流出しケーシング内部において結露することとなり、局部洗浄装置の電子部品がショートするという問題が生じる恐れがある。
【０００５】
特許文献１に記載の便器洗浄用タンク装置を従来の密閉式の便器洗浄用タンクに適用した場合であっても、可動弁は設けられているものの、一時的に通気穴がケーシング内部で開放状態となるため、便器洗浄用タンク内の蒸気がタンク外へ流出し、ケーシング内部で結露することに変わりなく、依然として局部洗浄装置の電子部品がショートするという問題が生じる恐れがある。
【０００６】
そこで、本発明は、上述した従来技術の問題点と課題を解決するためになされたものであり、従来必要であったケーシングの吸気開口部を無くすと共に、密閉式便器洗浄用タンク内への吸気を行うことができ、且つ蒸気が密閉式便器洗浄用タンクからケーシング内部に流出してケーシング内部で結露されることを防ぐことができ、結露した水によりケーシング内部に収納されている局部洗浄装置がショートする故障を防ぐことができるトイレ装置を提供することを目的としている。
【課題を解決するための手段】
【０００７】
上記の目的を達成するために、本発明は、洗浄水によって洗浄し、汚物を排出するトイレ装置であって、汚物を受けるボウル部を有する便器本体と、便器本体の後方上面に設けられるプレートと、プレートの上面に設けられ、洗浄水を噴出するノズル部を作動させる局部洗浄装置と、プレートの上面に設けられ、ボウル部へ供給する水を貯水し、且つ貯水した水の蒸気が外部に流出することを防ぐように密閉されている密閉式洗浄水タンクと、プレート上に設けられ、その内部に局部洗浄装置及び密閉式洗浄水タンクを収納するケーシングと、ケーシング内に設けられ、このケーシングの内部の空気を密閉式洗浄水タンク内に吸気可能な吸気管と、を有し、吸気管は、密閉式洗浄水タンク内のオーバーフロー水位より上方に接続される接続部と、接続部から下方に延びる下降管部と、ケーシングの内部のプレートの上方において、下降管部の下端が開口する開口部と、を備えていることを特徴としている。
このように構成された本発明においては、ケーシング内に設けられた吸気管により、ケーシングの内部の空気を密閉式洗浄水タンク内に吸気できるので、従来のようにケーシングに吸気用の吸気開口部を設けることなく、密閉式洗浄水タンク内への吸気を行うことができ、さらに意匠性も向上することができる。また、吸気管が接続部から開口部まで下方に延びる下降管部を備えていることにより、密閉式洗浄水タンク内の蒸気が吸気管を介してケーシング内部に流出しようとするときに、下降管部を通過しながら冷却され、結露して水滴となり、ケーシング内部のプレートの上方に流れ落ちる。従って、蒸気が密閉式洗浄水タンクの外部のケーシング内部に流出してケーシング内部で結露されることを防ぐことができる。よって、結露した水によりケーシング内部に収納されている局部洗浄装置がショートする故障を防ぐことができる。
【０００８】
本発明において、好ましくは、プレートは、水滴をプレートの上面からボウル部へ排水する排水口部と、プレートの上面に形成され、吸気管の開口部の下方の領域から排水口部まで延び、吸気管から滴下された水滴を排水口部に導くように形成されている排水経路と、を備えている。
このように構成された本発明においては、吸気管の下降管部において結露した水が、プレートの上面に形成された排水経路に落ち、排水経路により吸気管の開口部の下方の領域から排水口部まで導かれ、排水口部からボウル部へ排水されるので、滴下した水滴が蒸発してケーシング内部で結露されることをより効果的に抑制することができる。
【０００９】
本発明において、好ましくは、プレートの排水経路は、吸気管の開口部の下方の領域から排水口部に下り傾斜している。
このように構成された本発明においては、吸気管の下降管部から滴下された水が、吸気管の開口部の下方の領域から排水口部に下り傾斜しているプレートの排水経路により排水口部まで導かれ、排水口部からボウル部へ排水されるので、滴下した水滴が蒸発してケーシング内部で結露されることをより効果的に抑制することができる。
【００１０】
本発明において、好ましくは、吸気管の最小開口断面積は、密閉式洗浄水タンクの底面に形成された排水口の開口断面積の１／２０より大きく且つ１／１０より小さい範囲内で形成されている。
このように構成された本発明においては、密閉式洗浄水タンクの底面に形成された排水口から水が排水される排水動作が行われるとき、この排水口から排水される洗浄水の量に対し、吸気管がケーシング内部の空気を、密閉式洗浄水タンク内に吸気できる吸気性能を十分に確保することができ、密閉式洗浄水タンクからの水の排水性能を十分に維持することができる。したがって、良好な便器洗浄動作を実現することができる。
【００１１】
本発明において、好ましくは、接続部は、その上端が、密閉式洗浄水タンクの上面より下方に接続される。
このように構成された本発明においては、密閉式洗浄水タンクの上面に結露した水がそのまま接続部の上端を伝って吸気管内部に流入することを抑制することができる。従って、密閉式洗浄水タンク内に結露した水が密閉式洗浄水タンク外に流出することを抑制することができ、プレートに滴下する水滴量を減少させることができ、滴下した水滴が蒸発してケーシング内部で結露されることをより効果的に抑制することができる。
【００１２】
本発明において、好ましくは、吸気管は、金属で形成されている。
このように構成された本発明においては、密閉式洗浄水タンク内の蒸気が吸気管を介して外部に流出しようとするときに、金属で形成されている吸気管を通過するので、効果的に冷却され、吸気管の内部において確実に結露して水滴となって流れ落ちることができる。従って、蒸気が密閉式洗浄水タンクの外部のケーシング内部に流出し、ケーシング内部で結露されることをより効果的に抑制することができる。
【００１３】
本発明において、好ましくは、吸気管の下降管部は、その内部にジグザグ状に蛇行する流路が形成されている。
このように構成された本発明においては、密閉式洗浄水タンク内の蒸気が吸気管を介して外部に流出しようとするときに、下降管部の内部の流路の距離がジグザグ状に蛇行されて長く形成されているので、下降管部を通過しながら効果的に冷却され、下降管部の内部において確実に結露して水滴となって流れ落ちることができる。従って、蒸気が密閉式洗浄水タンクの外部のケーシング内部に流出し、ケーシング内部で結露されることをより効果的に抑制することができる。
【００１４】
本発明において、好ましくは、吸気管の接続部は、横方向に延びる横管路を形成し、この横管路の底面は密閉式洗浄水タンクへ向かって下り傾斜している。
このように構成された本発明においては、吸気管の接続部の横管路内において結露した水が、横管路の底面の傾斜に沿って密閉式洗浄水タンクに流れることができる。よって、吸気管において結露した水のうち下降管部からケーシング内部のプレートに滴下する水適量を減少させることができ、滴下した水滴が蒸発して蒸気がケーシング内部で結露されることをより効果的に抑制することができる。
【発明の効果】
【００１５】
本発明のトイレ装置によれば、密閉式洗浄水タンク内への吸気を行うことができ、且つ蒸気が密閉式洗浄水タンクからケーシング内部に流出してケーシング内部で結露されることを防ぐことができ、結露した水によりケーシング内部に収納されている局部洗浄装置がショートする故障を防ぐことができる。
【図面の簡単な説明】
【００１６】
【図１】本発明の一実施形態によるトイレ装置の斜視図である。
【図２】本発明の一実施形態によるトイレ装置において、洗浄水ユニット内のケーシングプレート及び局部洗浄装置を省略し、吸気管を断面により示している状態を示す概略側面図である。
【図３】本発明の一実施形態によるトイレ装置において、ケーシング、便座及び便蓋を省略した状態で、トイレ装置の前後方向の中央断面を示す断面図である。
【図４】本発明の一実施形態によるトイレ装置において、ケーシング、密閉式洗浄水タンク装置の内側蓋体、便座及び便蓋を省略した状態で、トイレ装置を示す上面図である。
【図５】本発明の一実施形態によるトイレ装置のケーシングプレート、ケーシングプレートの上面に設けられた密閉式洗浄水タンク装置及び局部洗浄装置、密閉式洗浄水タンク装置に取り付けられた吸気管を示す側面図である。
【図６】本発明の一実施形態によるトイレ装置において、ケーシング、密閉式洗浄水タンク装置及び局部洗浄装置を省略した状態で、ケーシングプレートを示す上面図である。
【図７】図５のVII-VII線に沿って見た断面図である。
【図８】図５のVIII-VIII線に沿って見た断面図である。
【図９】本発明の一実施形態によるトイレ装置において、吸気管の変形例として、ジグザグに形成された流路を有する吸気管を断面の状態により示し、密閉式洗浄水タンク装置を概略で示す概略側面図である。
【図１０】本発明の一実施形態によるトイレ装置において、ケーシングプレートの可動部分とともに局部洗浄装置及びケーシングが上昇している状態を示す概略側面図である。
【発明を実施するための形態】
【００１７】
つぎに、添付図面により、本発明の一実施形態によるトイレ装置について説明する。
まず、図１乃至図４により、本発明の一実施形態によるトイレ装置について説明する。
図１は本発明の一実施形態によるトイレ装置の斜視図であり、図２は本発明の一実施形態によるトイレ装置において、洗浄水ユニット内のケーシングプレート及び局部洗浄装置を省略し、吸気管を断面により示している状態を示す概略側面図であり、図３は本発明の一実施形態によるトイレ装置において、ケーシング、便座及び便蓋を省略した状態で、トイレ装置の前後方向の中央断面を示す断面図であり、図４は本発明の一実施形態によるトイレ装置において、ケーシング、密閉式洗浄水タンク装置の内側蓋体、便座及び便蓋を省略した状態で、トイレ装置を示す上面図である。
図４においては、密閉式洗浄水タンク装置２４は、後述する内側蓋部分を取り外した状態で示されている。
【００１８】
図１乃至図４に示すように、符号１は、洗浄水によって洗浄し、汚物を排出するトイレ装置であり、このトイレ装置１は、陶器製の便器本体２を備え、この便器本体２には、便器本体２の頂面に設けられる便蓋３と、便器本体２の上面に配置される便座（図示せず）と、ボウル部４と、このボウル部４の下部と連通する排水トラップ管路６がそれぞれ形成されている。なお、便器本体２は、陶器以外に、樹脂と陶器、又は樹脂のみで形成するようにしても良い。
便器本体２のボウル部４の上縁部には、内側にオーバーハングしたリム８が形成され、便器本体２のボウル部４の左側上方には、便器本体２の後方側の内部に形成される導水路９から供給される洗浄水を吐水する第１吐水口１０とが形成され、この第１吐水口１０から吐水された洗浄水は、旋回しながら下降してボウル部４を洗浄するようになっている。
【００１９】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路９から供給される洗浄水を吐水する第２吐水口１４が形成され、この第２吐水口１４から吐水される洗浄水が溜水部１２の溜水を上下方向に旋回させる旋回流を生じさせるようになっている。
【００２０】
つぎに、図２乃至図８により、洗浄ユニットの内部構造について説明する。
図５は本発明の一実施形態によるトイレ装置のケーシングプレート、ケーシングプレートの上面に設けられた密閉式洗浄水タンク装置及び局部洗浄装置、密閉式洗浄水タンク装置に取り付けられた吸気管を示す側面図であり、図６は本発明の一実施形態によるトイレ装置において、ケーシング、密閉式洗浄水タンク装置及び局部洗浄装置を省略した状態で、ケーシングプレートを示す上面図であり、図７は図５のVII-VII線に沿って見た断面図であり、図８は図５のVIII-VIII線に沿って見た断面図である。
なお、図７においては、洗浄水タンク内の満水水位をＷＬ０で示し、オーバーフロー水位をＷＬ１で示している。
【００２１】
便器本体２の後方側の上面には、局部洗浄装置及び洗浄水タンク装置一体型の洗浄ユニット１６が設けられている。
洗浄ユニット１６は、便器本体２の後方側の上面上に配置され且つ洗浄ユニット１６の基部を形成しているケーシングプレート１８と、ケーシングプレート１８の上面に設けられ、人体の局部を洗浄する洗浄水を噴出するノズル部２０を作動させる局部洗浄装置２２と、ケーシングプレート１８の上面に設けられ、ボウル部４へ供給する水を貯水し、且つ貯水した水の蒸気が外部に流出することを防ぐように密閉されている密閉式洗浄水タンク装置２４と、ケーシングプレート１８との間で、局部洗浄装置２２及び密閉式洗浄水タンク装置２４を内部に収納するケーシング２６と、ケーシング２６内部の空気を密閉式洗浄水タンク装置２４内に吸気できる吸気管２８と、を備えている。
このような洗浄ユニット１６は、手洗い器の付いていないトイレ装置の他、手洗い器付きのトイレ装置、便器本体の形状が異なるトイレ装置にも共通して使用することができる。
【００２２】
ケーシングプレート１８は、四角形状に形成され、便器本体２の左右方向において、ケーシングプレート１８の左右方向の辺の長さが便器本体２の左右方向の幅にほぼ合うように形成され、便器本体２の前後方向において、ケーシングプレート１８の前後方向の辺が便器本体２のほぼ後端からボウル部４の後端より前方側まで延びるように形成されている。
ケーシングプレート１８は、密閉式洗浄水タンク装置２４と、局部洗浄装置２２とを一緒にケーシングプレート１８上に互いに近傍に並んで配置して、一つのケーシング２６内部に一体のユニットとして一緒に収納できる。
ケーシングプレート１８は、便器本体２の後方側の上面に固定されている固定部分３０と、後方側の後部軸３２を支点にして自身の前方側が上方に可動する可動部分３４とを備えている。
ケーシングプレート１８の固定部分３０は、ほぼ水平になるように便器本体２の後方側の上面に取付けられている。この固定部分３０の上面には、便器本体２に供給する洗浄水を貯水する密閉式洗浄水タンク装置２４が設けられている。
【００２３】
ケーシングプレート１８の可動部分３４は、使用者が操作部（図示せず）を操作することにより、可動部分３４に取付けられているケーシング２６とともに、後部軸３２を支点として可動部分３４の前方側を上下に昇降させることができるようになっている。
ケーシングプレート１８の可動部分３４は、後部軸３２が便器本体２に取付けられ且つ使用者に通常使用されている状態で便器前方側に向かって約１度の下り傾斜となるように配置されている。便器本体２の上面の洗浄等のため可動された状態においては、後部軸３２を支点として前方側の前端部３４ｅを２０ｍｍ〜３０ｍｍ程度上昇させることができるようになっている。ケーシングプレート１８の可動部分３４の上面には、後述する電気装備品を含む局部洗浄装置２２が設けられている。
【００２４】
局部洗浄装置２２は、人体の局部に洗浄水を噴出するノズル部２０と、電気装備品であり且つノズル部２０の作動を制御するコントローラ３８と、電気装備品であり且つ適温に温められた温水をノズル部２０に供給する温水洗浄用タンク４０を温めるヒーター４２とを有する。
これらのコントローラ３８及びヒーター４２は、ケーシングプレート１８上を流れる水による短絡事故防止のため、ケーシングプレート１８の上面から隙間を空けて配置されているが、これらの部材の電子部品上で蒸気が結露すること或いはケーシング２６等の他の部材上で蒸気が結露した水滴が付着することによる短絡事故を防ぐ必要がある。
【００２５】
密閉式洗浄水タンク装置２４は、自身の高さが比較的低く形成されているいわゆるローシルエットタンクであり、ボウル部４へ供給する水を貯水し、且つ貯水した水の蒸気が外部に流出することを防ぐように密閉されている。
図２乃至図８に示すように、密閉式洗浄水タンク装置２４は、トイレ装置１を洗浄する洗浄水を貯水する洗浄水タンクである洗浄水タンク４４と、この洗浄水タンク４４の上方の開口を覆うような洗浄水タンク蓋４６と、を備え、洗浄水タンク４４の底部には、便器本体２の導水路９と連通する排水口４８が形成され、洗浄水タンク４４内の洗浄水が便器本体２の導水路９へと供給されるようになっている。
洗浄水タンク蓋４６は、洗浄水タンク４４の上方の縁から内側に延びる縁蓋部分５０と、洗浄水タンク４４の中心方向において台状に上方に隆起した上面を形成する内側蓋部分５２とを有している。洗浄水タンク４４に、縁蓋部分５０と内側蓋部分５２とが合わせて取付けられることにより、洗浄水タンク４４内に貯水した水の蒸気が外部に流出することを防ぐように洗浄水タンク４４の上方を密閉することができる。
排水口４８はその排水口の開口断面積の大きさにより、この排水口から単位時間あたりに排水される洗浄水の量が決定されている。
【００２６】
図３、図４及び図７等に示すように、密閉式洗浄水タンク装置２４の洗浄水タンク４４内には、水道等の給水源からこの洗浄水タンク４４内に洗浄水を給水する洗浄水給水装置５４と、洗浄水タンク４４に貯えられた洗浄水について排水口４８を開放して便器本体２の導水路９に流出させる排水弁装置５６とが設けられている。
【００２７】
洗浄水給水装置５４は、従来の洗浄水給水装置の構成と同様であるため、具体的な説明は省略するが、外部の給水源に接続され洗浄水タンク４４の外側において上方に延びる給水管５８と、この給水管５８の上端部に取り付けられ、給水管５８から給水される洗浄水の洗浄水タンク４４内への吐水と止水を切り替える給水バルブ６０と、洗浄水タンク４４内の水位の変動に応じて上下動して給水バルブ６０による吐水と止水を切り替えるフロート部６２と、給水バルブ６０の下流側において開口して、給水バルブ６０からの洗浄水を洗浄水タンク４４内に吐水する吐水口６４と、を備えている。
【００２８】
洗浄水給水装置５４においては、後述する排水弁装置５６により、洗浄水タンク４４内の洗浄水が便器本体２に排水されると、洗浄水の水位が低下してフロート部６２が下降し、それにより給水バルブ６０が開き、吐水口６４から吐水が開始され、洗浄水タンク４４内への吐水が開始される。次に、吐水が継続されて水位が上昇すると、フロート部６２も上昇し、それにより給水バルブ６０が閉じ、吐水口６４が止水される。これにより、洗浄水タンク４４内の洗浄水の水位を所定の満水時の水位に維持するようになっている。
【００２９】
排水弁装置５６の構成については、従来の排水弁装置の構成と同様であるため、具体的な説明は省略するが、この排水弁装置５６は、上下方向に延びるオーバーフロー管６６と、オーバーフロー管６６の下端部に固着された排水弁６８と、を備え、このオーバーフロー管６６内の下方部分は、排水口４８と連通しており、洗浄水タンク４４内の水位が万一満水水位ＷＬ０よりも上昇してオーバーフロー管６６の上端開口部６６ａに達したとき（このときの水位をオーバーフロー水位ＷＬ１とする）に、このオーバーフロー管６６の上端開口部６６ａから流入した洗浄水は、排水口４８から便器本体２の導水路９へ排出されるようになっている。
使用者が壁等に取り付けられた操作スイッチ（図示せず）等を操作して、大洗浄又は小洗浄の所定の洗浄モードを実行させることにより、駆動装置７０が駆動して、玉鎖７２を介して、オーバーフロー管６６及び排水弁６８を引き上げると、排水口４８が所定時間開放され、所定時間経過後に排水弁６８が下降して排水口４８を閉止するまで、洗浄水タンク４４内の洗浄水が便器本体２の導水路９に一定量排出されるようになっている。
【００３０】
ケーシング２６は、ケーシングプレート１８に配置された密閉式洗浄水タンク装置２４及び局部洗浄装置２２等の部材を上方から覆うようなカバーとして形成され、且つ自身の下端部２６ａ（図１及び図２参照）の外周がケーシングプレート１８の可動部分３４の外周と合致するようにケーシングプレート１８に取付けられている。
ケーシング２６は、自身の天面２６ｂの高さが比較的低くなるように抑制され、且つ便器の使用者から見えやすい天面２６ｂ、側面２６ｃ及び前側面２６ｄ等の部分に開口が形成されていないような外面を形成し、美観を有し且つ意匠性にも優れている、いわゆるローシルエット形状を形成している。
【００３１】
つぎに、図４乃至図９を参照して、本発明の一実施形態による吸気管２８の詳細について説明する。
図９は本発明の一実施形態によるトイレ装置において、吸気管の変形例として、ジグザグに形成された流路を有する吸気管を断面の状態により示し、密閉式洗浄水タンク装置を概略で示す概略側面図である。
吸気管２８は、密閉式洗浄水タンク装置２４の外側且つケーシング２６内部の内部空間Ｓ１（図２及び図７参照）と、密閉式洗浄水タンク装置２４内部の内部空間Ｓ２（図７参照）とを連通するように形成されている。
従って、吸気管２８は、ケーシング２６内部の内部空間Ｓ１の空気を、矢印Ａ１で示すように、吸気管２８を通して密閉式洗浄水タンク装置２４内の内部空間Ｓ２に吸気でき、さらに、密閉式洗浄水タンク装置２４内部で生じた蒸気を、矢印Ａ３で示すように、密閉式洗浄水タンク装置２４の外部に向かって吸気管２８を通しながら結露させることができる。この吸気管２８は、吸気管２８内部を通過する水蒸気を効果的に冷却することができるように吸気管２８の全部又は一部が金属により形成されている。
ここで、図２及び図７等においては、内部空間Ｓ１から吸気管２８を通って密閉式洗浄水タンク装置２４内に吸気される空気の流れを矢印Ａ１で示し、図２及び図７等においては、内部空間Ｓ２から吸気管２８に流入される蒸気の流れを矢印Ａ３で示している。
【００３２】
吸気管２８は、密閉式洗浄水タンク装置２４内のオーバーフロー水位ＷＬ１より上方に接続される接続部２８ａと、接続部２８ａから下方に延びる下降管２８ｂと、ケーシング２６内部のケーシングプレート１８の上方において、下降管２８ｂの下端が開口される開口部２８ｃと、を備える。
【００３３】
接続部２８ａは、その上端２８ｄが、密閉式洗浄水タンク装置２４の上面を形成する内側蓋部分５２より下方において、内側蓋部分５２から１段下がった位置に配置されるように接続される。ここで、接続部２８ａの上端２８ｄは内側蓋部分５２と面一に形成されていないので、内側蓋部分５２に結露して付着した結露水が内側蓋部分５２から接続部２８ａに伝わりながら、吸気管２８内に流入することを抑制することができる。
また、吸気管２８の接続部２８ａは、横方向に延びる横管路２８ｅを備え、この横管路２８ｅの底面２８ｆが密閉式洗浄水タンク装置２４へ向かって下り傾斜している。よって、横管路２８ｅに水が浸入した場合にも、水が底面２８ｆの下り傾斜により密閉式洗浄水タンク装置２４に流れるようになっている。
吸気管２８の最小開口断面積、例えば接続部２８ａの最小開口断面積は、密閉式洗浄水タンク装置２４の底面に形成された排水口４８の開口断面積の１／２０よりも大きく１／１０よりも小さく形成されている。これにより、密閉式洗浄水タンク装置２４の底面に形成された排水口４８から水が排水される排水動作が行われるとき、この排水口４８から排水される洗浄水の量に対し、吸気管２８がケーシング２６内部の空気を密閉式洗浄水タンク装置２４内に吸気できる吸気性能を、十分に確保することができ、密閉式洗浄水タンク装置２４からの水の排水性能を十分に維持することができる。
【００３４】
吸気管２８の下降管２８ｂは、扁平な四角形断面を有する筒形状に形成され、自身の上部において横方向から接続部２８ａが接続され、自身の下部が自身の上部の鉛直方向下方よりも前方側に位置し、下降管２８ｂが前方側に向かって傾斜するように配置されている。
吸気管２８の下降管２８ｂは、下降管２８ｂの中で蒸気を結露させるように、その内部において接続部２８ａから開口部２８ｃまで直線状に下方に向かうように形成された流路を形成している。この下降管２８ｂ内部の流路は、下降管２８ｂ内部の表面積を増大させるような形状に形成されていてもよい。
吸気管２８に流入する蒸気は、接続部２８ａから、下降管２８ｂ中を下方に向かって進みながら結露され、蒸気中の水分を水滴として下降管２８ｂ内に付着させる。従って、水分が概ね結露した後の空気が開口部２８ｃから内部空間に排出され、且つ矢印Ｗ１で示すように、結露した水が開口部２８ｃから下方に滴下される。
ここで、変形例として、本実施形態の吸気管２８の下降管２８ｂに代えて、図９に示すように、吸気管７４の下降管７４ａが、その内部において、蒸気が下降管７４ａ内部に接触可能な表面積を増やすように、その内部にジグザグ状に蛇行する流路が形成されていてもよい。下降管７４ａ内にジグザグに蛇行した流路が形成されることにより内部の流路の長さがより長くなる。このように下降管７４ａ内部の表面積を増大させることにより、蒸気の結露をより確実に行わせることができる。
【００３５】
吸気管２８の開口部２８ｃは、下降管２８ｂの下端の開口を形成し、ケーシング２６とは結合せず、密閉式洗浄水タンク装置２４の外側且つケーシング２６内部の内部空間Ｓ１空中に配置され、開口部２８ｃから流下する水が後述する排水経路３４ｃに落下するように、後述する排水経路３４ｃのほぼ真上に配置されている。
【００３６】
つぎに、図４乃至図８を参照して、本発明の一実施形態によるケーシングプレート１８の詳細について説明する。
ケーシングプレート１８の可動部分３４は、水（水滴及び水滴が集まって水流になった水を含む）を可動部分３４の上面からボウル部４へ排水する排水口部３４ａと、可動部分３４の上面に形成され、吸気管２８の開口部２８ｃの下方の領域３４ｂから排水口部３４ａまで延び、吸気管２８の開口部２８ｃから滴下された水滴を排水口部３４ａに導くようになっている排水経路３４ｃと、を備えている。
【００３７】
排水口部３４ａは、ボウル部４の後部の上方に配置され、排水口部３４ａから流出する水がボウル部４内に落ちるようになっている。また、排水口部３４ａ及びノズル部２０等の隙間から、外部の大気がケーシング２６内部に流入できるようになっている。
排水経路３４ｃは、水を領域３４ｂから排水口部３４ａまで誘導できるような平面を有している。ケーシングプレート１８の可動部分３４は、便器本体２の上面に配置された状態で、後方から前方に約１度程度下り傾斜するように配置されている。従って、排水経路３４ｃが後方から前方に約１度程度下り傾斜し、水滴が重力を受けて前方側の排水口部３４ａに向かって自然に流れるようになっている。
ここで、図６において、排水経路３４ｃにおいて、開口部２８ｃの下方の領域３４ｂから排水口部３４ａに向かう水の流れ（又は水滴の移動）を矢印Ｆ１で概略的に示している。
なお、本発明は、本実施形態の他に、ケーシングプレート１８が可動しないケーシングプレートにより構成される場合にも適用可能である。
【００３８】
つぎに、図３、図４及び図７を参照して、本発明の一実施形態によるトイレ装置の洗浄動作（作用）を説明する。
なお、以下、本発明の一実施形態によるトイレ装置により実行される大洗浄モードと小洗浄モードの２種類の洗浄モードのうち、大洗浄モード時の玉鎖による排水弁装置５６の排水弁６８の引き上げ量が小洗浄モード時よりも大きくなり、密閉式洗浄水タンク装置２４の排水口４８を開放している時間が長い点と、大洗浄モード時の死水水位（図示せず）が小洗浄モード時よりも低くなる点以外については、大洗浄モードと小洗浄モードの基本動作は共通しているため、大洗浄モードについてのみ説明する。
【００３９】
図７に示すように、排水弁装置５６の排水開始前（洗浄を開始する前）の待機状態では、排水弁装置５６の排水弁６８が排水口４８を閉止しており、密閉式洗浄水タンク装置２４内の初期水位が満水水位ＷＬ０となっている。フロート部６２は上昇した状態であり、洗浄水給水装置５４の給水バルブ６０は閉止された状態となっている。
【００４０】
つぎに、使用者が操作部（図示せず）を操作すると、洗浄動作が開始され、排水弁装置５６が密閉式洗浄水タンク装置２４の排水口４８を開放し、密閉式洗浄水タンク装置２４の排水弁装置５６によるトイレ装置１の便器本体２への大洗浄モードの排水が開始され、洗浄水タンク４４内の水位が低下し始める。
洗浄水タンク４４内の水位が低下するとき、空気が、密閉式洗浄水タンク装置２４の外側且つケーシング２６の内側の内部空間Ｓ１から吸気管２８内に流入され、吸気管２８から密閉式洗浄水タンク装置２４内に流入される。従って、上部がほぼ密閉されている密閉式洗浄水タンク装置２４において、洗浄水タンク４４内の洗浄水が減少する量に相当する空気の量が密閉式洗浄水タンク装置２４内に良好に供給されるので、洗浄水タンク４４内の洗浄水が所定量まで良好に排水でき、便器を十分に洗浄することができる。
ここで、図２及び図７等においては、内部空間Ｓ１から吸気管２８を通って密閉式洗浄水タンク装置２４内に吸気される空気の流れを矢印Ａ１で示している。
洗浄水タンク４４内の水位が低下し、フロート部６２が下降すると、それにより給水バルブ６０が開き、吐水口６４から吐水が開始される。
【００４１】
つぎに、洗浄水タンク４４内の水位が死水水位（図示せず）まで低下すると、排水弁装置５６が洗浄水タンク４４の排水口４８を閉止する。排水弁装置５６によるトイレ装置１の便器本体２への大洗浄モードの排水は完了される。この間、フロート部６２は下降した状態であり、給水バルブ６０が開放されて洗浄水給水装置５４による洗浄水タンク４４への給水が継続して行われているため、洗浄水タンク４４内の水位が死水水位（図示せず）から上昇する。
【００４２】
さらに、洗浄水給水装置５４からの給水が継続されて水位が上昇すると、フロート部６２も上昇し、それにより給水バルブ６０が閉弁し、吐水口６４が止水される。これにより、洗浄水タンク４４内の洗浄水の水位は、所定の満水水位ＷＬ０に維持される。
洗浄水タンク４４内の洗浄水の水位が満水水位になり、給水バルブ６０が閉弁すると、密閉式洗浄水タンク装置２４の一連の洗浄動作は完了し、待機状態に戻る。
【００４３】
つぎに、図２、図３及び図１０を参照して、本発明の一実施形態によるトイレ装置１のケーシングプレート１８の可動部分３４の動作（作用）を説明する。
図１０は本発明の一実施形態によるトイレ装置において、ケーシングプレートの可動部分とともに局部洗浄装置及びケーシングが上昇している状態を示す概略側面図である。
【００４４】
図２及び図３に示すように、通常の使用状態においては、ケーシングプレート１８は、自身の可動部分３４が便器前方側に向かって水平から約１度傾斜するように設けられ、ケーシング２６が密閉式洗浄水タンク装置２４を覆うように可動部分３４に取付けられている。これに対し、ケーシングプレート１８の固定部分３０は、ほぼ水平になるように便器本体２の後方側の上面に取付けられ、密閉式洗浄水タンク装置２４が固定部分上に固定されている。
このような通常の使用状態においては、ケーシング２６と密閉式洗浄水タンク装置２４との間の距離Ｄは比較的近い距離に形成されている。これは、いわゆるローシルエット形状のケーシング２６といわゆるロータンク形状の密閉式洗浄水タンク装置２４との間の距離Ｄが比較的近い距離に形成されることによる。従って、距離Ｄが比較的近い距離に形成されている場合、例えば、冬期などの比較的寒い時期にケーシング２６の外側の大気が比較的低い温度となっている状態において、密閉式洗浄水タンク装置２４から発生した蒸気が、ケーシング２６の内側で冷やされて飽和状態となり、結露されやすくなる問題が生じるので、本発明の実施形態によるように蒸気がケーシング２６の内部で結露されることを防ぐ必要が生じる。
なお、本発明は、いわゆるローシルエット形状のケーシング２６といわゆるロータンク形状の密閉式洗浄水タンク装置２４とを備えるトイレ装置において特に適用するが、このトイレ装置以外にも、例えば、手洗い器付きのいわゆるハイシルエット形状のケーシング２６といわゆるロータンク形状の密閉式洗浄水タンク装置２４とを備えるトイレ装置などにおいても適用することができる。
【００４５】
これに対し、図１０に示すように、清掃時の使用状態においては、ケーシングプレート１８が、自身の可動部分３４の前端部３４ｅが水平から上方に上昇するように移動された状態となる。この状態において、使用者は、便器本体２の上面を、通常ケーシングプレート１８の下に隠れている便器本体２の後方領域まで清掃することができ、トイレ装置の清掃性を向上させることができる。この状態において、可動部分３４に取付けられているケーシング２６が、可動部分３４とともに上昇されるので、固定部分３０に固定されている密閉式洗浄水タンク装置２４と、ケーシング２６との相対的な位置関係がずれることになる。
本実施形態においては、このように、密閉式洗浄水タンク装置２４と、ケーシング２６との相対的な位置関係がずれた状態のまま、上述のような密閉式洗浄水タンク装置２４の一連の洗浄動作を行うことができる。
【００４６】
より具体的には、清掃時の使用状態において、使用者が操作部（図示せず）を操作すると、洗浄動作が開始され、排水弁装置５６が密閉式洗浄水タンク装置２４の排水口４８を開放し、密閉式洗浄水タンク装置２４の排水弁装置５６によるトイレ装置１の便器本体２への大洗浄モードの排水が開始され、洗浄水タンク４４内の水位が低下し始める。
洗浄水タンク４４内の水位が低下するとき、空気が、密閉式洗浄水タンク装置２４の外側且つケーシング２６の内側の内部空間Ｓ１から吸気管２８内に流入され、吸気管２８から密閉式洗浄水タンク装置２４内に流入される。従って、上部がほぼ密閉されている密閉式洗浄水タンク装置２４において、洗浄水タンク４４内の洗浄水が減少する量に相当する空気の量が密閉式洗浄水タンク装置２４内に良好に供給されるので、洗浄水タンク４４内の洗浄水が所定量まで良好に排水でき、便器を十分に洗浄することができる。
ここで、図１０においては、内部空間Ｓ１から吸気管２８を通って密閉式洗浄水タンク装置２４内に吸気される空気の流れを矢印Ａ２で示している。
このように、密閉式洗浄水タンク装置と、ケーシングとの相対的な位置関係がずれた状態においても、空気を密閉式洗浄水タンク装置２４内に良好に吸気できる。
【００４７】
本発明とは異なり、仮に、従来のトイレ装置のように、密閉式洗浄水タンク装置の開口及びケーシングの開口をほぼ直線的に並ぶように配置して、密閉式洗浄水タンク装置内部から密閉式洗浄水タンク装置外部を通りケーシングの外側まで直線的な吸気管路を形成して密閉式洗浄水タンク装置内部への吸気を行おうとする場合には、ケーシングが密閉式洗浄水タンク装置に対して相対的に異なる位置に移動できる構成を採用すると、密閉式洗浄水タンク装置の開口とケーシングの開口との位置がずれることになり、密閉式洗浄水タンク装置内部への十分な吸気ができなくなり、密閉式洗浄水タンクからの水の排水性能を十分に維持することができず、不十分な便器洗浄動作となる問題点を生じる。本発明によるトイレ装置１によれば、このような問題点を解決することができる。
【００４８】
上述した本発明の一実施形態によるトイレ装置１によれば、ケーシング２６内に設けられた吸気管２８により、ケーシング２６の内部空間Ｓ１の空気を密閉式洗浄水タンク装置２４内に吸気できるので、従来のようにケーシングに吸気用の吸気開口部を設けることなく、密閉式洗浄水タンク装置２４内への吸気を行うことができ、さらに意匠性も向上することができる。また、吸気管２８が接続部２８ａから開口部２８ｃまで下方に延びる下降管２８ｂを備えていることにより、密閉式洗浄水タンク装置２４内の蒸気が、矢印Ａ３に示すように、吸気管２８を介してケーシング２６内部に流出しようとするときに、下降管２８ｂを通過しながら冷却され、結露して水滴となり、矢印Ｗ１に示すように、ケーシング２６内部のケーシングプレート１８の上面に流れ落ちる。したがって、蒸気が密閉式洗浄水タンク装置２４の外部のケーシング２６内部に流出してケーシング２６の内部（例えば内部空間Ｓ１）で結露されることを防ぐことができる。よって、結露した水によりケーシング２６の内部空間Ｓ１に収納されている局部洗浄装置２２がショートする故障を防ぐことができる。
【００４９】
また、本実施形態によるトイレ装置１によれば、吸気管２８の下降管２８ｂにおいて結露した水が、ケーシングプレート１８の上面に形成された排水経路３４ｃに落ち、排水経路３４ｃにより吸気管２８の開口部２８ｃの下方の領域３４ｂから排水口部３４ａまで導かれ、排水口部３４ａからボウル部４へ排水されるので、滴下した水滴が蒸発してケーシング２６の内部で結露されることをより効果的に抑制することができる。さらに、一旦結露した水がケーシングプレート１８の上面からボウル部４に排水されず、ケーシングプレート１８の上面から再度蒸気を発生させてケーシング２６の内部で結露されることもより効果的に抑制することができる。
【００５０】
さらに、本実施形態によるトイレ装置１によれば、吸気管２８の下降管２８ｂから滴下された水が、吸気管２８の開口部２８ｃの下方の領域３４ｂから排水口部３４ａに下り傾斜しているケーシングプレート１８の排水経路３４ｃにより排水口部３４ａまで導かれ、排水口部３４ａからボウル部４へ排水されるので、滴下した水滴が蒸発してケーシング２６内部で結露されることをより効果的に抑制することができる。
【００５１】
また、本実施形態によるトイレ装置１によれば、密閉式洗浄水タンク装置２４の底面に形成された排水口４８から水が排水される排水動作が行われるとき、この排水口４８から排水される洗浄水の量に対し、吸気管２８がケーシング２６内部の空気を、密閉式洗浄水タンク装置２４内に吸気できる吸気性能を十分に確保することができ、密閉式洗浄水タンク装置２４からの水の排水性能を十分に維持することができる。したがって、良好な便器洗浄動作を実現することができる。
【００５２】
また、本実施形態によるトイレ装置１によれば、密閉式洗浄水タンク装置２４の上面に結露した水がそのまま接続部２８ａの上端を伝って吸気管２８内部に流入することを抑制することができる。従って、密閉式洗浄水タンク装置２４内に結露した水が密閉式洗浄水タンク装置２４外に流出することを抑制することができ、ケーシングプレート１８に滴下する水滴量を減少させることができ、滴下した水滴が蒸発してケーシング２６内部で結露されることをより効果的に抑制することができる。
【００５３】
また、本実施形態によるトイレ装置１によれば、密閉式洗浄水タンク装置２４内の蒸気が吸気管２８を介して外部に流出しようとするときに、金属で形成されている吸気管２８を通過するので、効果的に冷却され、吸気管２８の内部において確実に結露して水滴となって流れ落ちることができる。従って、蒸気が密閉式洗浄水タンク装置２４の外部のケーシング２６内部に流出し、ケーシング２６内部で結露されることをより効果的に抑制することができる。
【００５４】
また、本実施形態によるトイレ装置１によれば、密閉式洗浄水タンク装置２４内の蒸気が吸気管２８を介して外部に流出しようとするときに、下降管２８ｂの内部の流路の距離がジグザグ状に蛇行して長く形成されているので、下降管２８ｂを通過しながら効果的に冷却され、下降管２８ｂの内部において確実に結露して水滴となって流れ落ちることができる。従って、蒸気が密閉式洗浄水タンク装置２４の外部のケーシング２６内部に流出し、ケーシング２６内部で結露されることをより効果的に抑制することができる。
【００５５】
また、本実施形態によるトイレ装置１によれば、吸気管２８の接続部２８ａの横管路２８ｅ内において結露した水が、横管路２８ｅの底面２８ｆの傾斜に沿って密閉式洗浄水タンク装置２４に流れることができる。よって、吸気管２８において結露した水のうち下降管２８ｂからケーシング２６内部のケーシングプレート１８に滴下する水適量を減少させることができ、滴下した水滴が蒸発して蒸気がケーシング２６内部で結露されることをより効果的に抑制することができる。
【符号の説明】
【００５６】
１            トイレ装置
２            便器本体
４            ボウル部
１６          洗浄ユニット
１８          ケーシングプレート
２０          ノズル部
２２          局部洗浄装置
２４          密閉式洗浄水タンク装置
２６          ケーシング
２８          吸気管
２８ａ        接続部
２８ｂ        下降管
２８ｃ        開口部
２８ｄ        上端
２８ｅ        横管路
２８ｆ        底面
３４          可動部分
３４ａ        排水口部
３４ｃ        排水経路
３４ｂ        領域
３８          コントローラ
４０          温水洗浄用タンク
４２          ヒーター
４４          洗浄水タンク
４６          洗浄水タンク蓋
４８          排水口
６６          オーバーフロー管
Ａ１          矢印
Ａ２          矢印
Ａ３          矢印
Ｄ            距離
Ｆ１          矢印
Ｓ１          内部空間
Ｓ２          内部空間
Ｗ０          溜水面
ＷＬ０        満水水位
ＷＬ１        オーバーフロー水位
【図１】
2015068054.tif 000003
【図２】
2015068054.tif 000004
【図３】
2015068054.tif 000005
【図４】
2015068054.tif 000006
【図５】
2015068054.tif 000007
【図６】
2015068054.tif 000008
【図７】
2015068054.tif 000009
【図８】
2015068054.tif 000010
【図９】
2015068054.tif 000011
【図１０】
2015068054.tif 000012